(57)【要約】【課題】袋からの医療用長尺体の取り出しが容易な収容具を提供する。【解決手段】本発明に係る収容具１００は、医療用長尺体を収容可能な収容空間１１と、収容空間から医療用長尺体を取り出す取り出し口１７を開封可能に封止する開封部１２と、を備えた収容部材１０と、医療用長尺体の少なくとも一部を挿入可能な内腔が形成されると共に、収容部材の収容空間内に巻回した状態で収容される管状部材２０と、管状部材に取り付けられて、管状部材の収容部材に対するずれを抑制する抑制部材４０と、収容部材に収容され、管状部材に収容された医療用長尺体の製品情報の少なくとも一つを表示する表示部５０と、を有し、抑制部材及び表示部は、管状部材の巻回の中心を基準にして、取り出し口が設けられた側と反対側に配置される。【選択図】図１
2018187113.tif 000002
【特許請求の範囲】
【請求項１】
医療用長尺体を収容可能な収容空間と、前記収容空間から前記医療用長尺体を取り出す取り出し口を開封可能に封止する開封部と、を備えた収容部材と、
前記医療用長尺体の少なくとも一部を挿入可能な内腔が形成されると共に、前記収容部材の前記収容空間内に巻回した状態で収容される管状部材と、
前記管状部材に取り付けられて、前記管状部材の前記収容部材に対するずれを抑制する抑制部材と、
前記収容部材に収容され、前記管状部材に収容された前記医療用長尺体の製品情報の少なくとも一つを表示する表示部と、を有し、
前記抑制部材及び前記表示部は、前記管状部材の巻回の中心を基準にして、前記取り出し口が設けられた側と反対側に配置される、収容具。
【請求項２】
前記抑制部材には、前記表示部に表示された前記製品情報とは異なる前記医療用長尺体の前記製品情報の少なくとも一つが、前記表示部よりも目立ちにくい文字、図形、記号、色彩又はこれらの中から任意に組み合わされたもので表示される、請求項１に記載の収容具。
【請求項３】
前記抑制部材は、前記収容部材の正面視において、前記管状部材の巻回された部分を一部接触した状態で覆う被覆部を備える、請求項１又は２に記載の収容具。
【請求項４】
前記管状部材に取り付けられて、前記管状部材を巻回した状態に保持する保持部材をさらに有し、
前記保持部材は、巻回された前記管状部材において放射方向に並べられた部分の各々を挟持する複数の挟持部と、隣接する前記挟持部の間に設けられ前記挟持部へ前記管状部材の挿入を案内する切り欠き部と、を備え、
前記抑制部材は、前記保持部材の前記挟持部が挿入可能な穴部を備える請求項１〜３のいずれか１項に記載の収容具。
【請求項５】
前記管状部材の放射方向内方において前記管状部材に取り付けられ、前記医療用長尺体に付属する物品を着脱可能に固定する取り付け部材をさらに有する請求項１〜４のいずれか１項に記載の収容具。
【請求項６】
前記医療用長尺体は、前記医療用長尺体を部分的に前記管状部材に収容した状態で前記管状部材から露出して配置され、前記医療用長尺体の使用時に把持される把持部を備え、
前記把持部は、前記収容部材の前記収容空間において前記開封部に隣接して配置される、前記医療用長尺体を収容した請求項１〜５のいずれか１項に記載の収容具。
【発明の詳細な説明】
【技術分野】
【０００１】
本発明は、収容具に関する。
【背景技術】
【０００２】
バルーンカテーテルやマイクロカテーテル等の医療用長尺体（医療器具）は、比較的長尺なチューブ部分（カテーテル部分）を備える。このため、医療用長尺体は、搬送時等における取り扱いを容易にするために、例えば、下記特許文献１に記載されたような管状のカテーテルホルダに挿入した状態で、所定の保持具により巻回した状態に保持される。
【０００３】
一般的に医療用長尺体は、使用する前の段階（製品運搬段階等）においては、その一部がカテーテルホルダに挿入された状態でピール袋等と称される収納部材内に収納される。収納部材内には、使用者等（例えば、医師や看護師等の医療従事者）に対して医療用長尺体の製品情報（製品名や製品仕様）等を案内するタグ等の表示部を、医療用長尺体とともに収納することがある。
【先行技術文献】
【特許文献】
【０００４】
【特許文献１】特開２０１３−２４７９７４号公報
【発明の概要】
【発明が解決しようとする課題】
【０００５】
使用者等は、医療用長尺体を使用するにあたり、収納部材の取り出し口を開封して収納部材から医療用長尺体を取り出す。この際、収納部材内において、表示部が取り出し口の近傍に配置されると、取り出し口に表示部が引っかかるなどしてカテーテルホルダーに収納された医療用長尺体を円滑に取り出すことができない場合がある。
【０００６】
そこで本発明は、袋からの医療用長尺体の取り出しが容易な収容具を提供することを目的とする。
【課題を解決するための手段】
【０００７】
上記目的を達成する本発明に係る収容具は、医療用長尺体を収容可能な収容空間と、前記収容空間から前記医療用長尺体を取り出す取り出し口を開封可能に封止する開封部と、を備えた収容部材と、前記医療用長尺体の少なくとも一部を挿入可能な内腔が形成されると共に、前記収容部材の前記収容空間内に巻回した状態で収容される管状部材と、前記管状部材に取り付けられて、前記管状部材の前記収容部材に対するずれを抑制する抑制部材と、前記収容部材に収容され、前記管状部材に収容された前記医療用長尺体の製品情報の少なくとも一つを表示する表示部と、を有し、前記抑制部材及び前記表示部は、前記管状部材の巻回の中心を基準にして、前記取り出し口が設けられた側と反対側に配置される。
【発明の効果】
【０００８】
本発明に係る収容具は、上記のように構成しているため、袋にあたる収容部材から医療用長尺体を容易に取り出すことができる。
【図面の簡単な説明】
【０００９】
【図１】本発明の一実施形態に係る収容具を示す正面図である。
【図２】図１の背面図である。
【図３】収容具に収容される医療用長尺体の一例にあたるバルーンカテーテルを示す正面図である。
【図４】図３のバルーンカテーテルにおいて長手方向を軸とした際の上記軸に沿う断面図である。
【図５】収容具を構成する保持部材を示す斜視図である。
【図６】収容具を構成する抑制部材を示す正面図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１〜図６は本発明の一実施形態に係る収容具の説明に供する図である。本実施形態に係る収容具１００は、一例としてバルーンカテーテル２００等の医療用長尺体を収容する際に使用される。
【００１２】
（医療用長尺体）
まず、収容具１００に収容される医療用長尺体の一例としてバルーンカテーテル２００について説明する。なお、本明細書では、バルーンカテーテル２００の生体管腔に挿入する側を「先端」若しくは「先端側」、操作する手元側を「基端」若しくは「基端側」と称することとする。
【００１３】
バルーンカテーテル２００は、図３，４に示すように、可撓性を備える長尺なシャフト部２１０と、シャフト部２１０の先端部に設けられるバルーン２２０と、シャフト部２１０の基端に固着されたハブ２３０（把持部に相当）と、を備えている。バルーン２２０は、使用前の状態において、鞘状の保護シース２４０が被せられて保護されている。
【００１４】
シャフト部２１０は、先端および基端が開口した管体である外管２１１と、外管２１１の内部に配置される内管２１２と、を備えている。外管２１１および内管２１２の間には、バルーン２２０を拡張するための拡張用流体が流通する拡張ルーメン２１３が形成されており、内管２１２の内側には、ガイドワイヤＷが挿入されるガイドワイヤルーメン２１４が形成されている。外管２１１は、ハブ２３０に固着され、内管２１２は、外管２１１よりも基端側にてハブ２３０に固着されている。
【００１５】
ハブ２３０は、内管２１２および外管２１１が接合されるハブ本体２３１と、外管２１１の拡張ルーメン２１３と連通する第１開口部２３２と、ガイドワイヤルーメン２１４を挿通させる第２開口部２３３と、耐キンクプロテクタ２３４と、を備える。また、ハブ本体２３１の外周面には、術者が回転力を作用させやすいように２つの羽部２３５が形成されている。耐キンクプロテクタ２３４は、ハブ本体２３１及び内管２１２の接続部の周囲を囲んで配置され、ハブ本体２３１及び内管２１２の接続部におけるキンクを抑制する。なお、本実施形態におけるバルーンカテーテル２００は、ガイドワイヤをハブ２３０の手元側から導入するオーバーザワイヤタイプとして構成している。ただし、これに限定されず、上記以外にもシャフト部２１０の長手方向における中間部からガイドワイヤを導入するラピッドエクスチェンジタイプでもよい。
【００１６】
（収容具）
次に本実施形態に係る収容具１００について説明する。なお、以下では図面を用いた説明にあたり、図面に直交座標系と円筒座標系を図示する。図１、２、６における直交座標系のｘ軸は収容部材１０に物品を収容する方向である。直交座標系のｙ軸はｘ軸と直交する方向である。円筒座標系におけるθは収容具１００を構成する管状部材２０の渦巻き形状に沿う周方向、回転方向、又は角度方向である。円筒座標系のｒは渦巻き状の管状部材２０における放射方向又は径方向である。
【００１７】
収容具１００は、図１に示すように収容部材１０と、管状部材２０と、保持部材３０と、抑制部材４０と、表示部５０と、を有する。また、収容具１００は、管状部材２０の放射方向ｒの内方において管状部材２０に取り付けられ、医療用長尺体に付属する部品を着脱可能に固定する取り付け部材６０を有する。以下、説明する。
【００１８】
（収容部材）
収容部材１０は、医療用長尺体を収容可能な収容空間１１と、収容空間１１から医療用長尺体を取り出す取り出し口１７を開封可能に封止する開封部１２と、収容部材１０の外周付近において開封部１２とは異なる部位に設けられた接合部１３〜１５と、閉封部１６と、を有する。収容部材１０は、ピール袋等とも呼ばれ、本実施形態では外形を略矩形にて構成している。ただし、収容空間１１に管状部材２０や保持部材３０等、医療用長尺体の収容に必要な部品を収容できれば、形状は矩形に限定されず、矩形以外の多角形でもよく、また、真円や楕円等の円形であってもよい。
【００１９】
収容部材１０は、外部から収容空間１１に収容された内部の様子が視認しやすいようにポリエチレン等の透明又は半透明に形成された２枚のシートを外周等において貼り合わせて形成している。開封部１２、接合部１３〜１５及び閉封部１６は、矩形状の収容部材１０の外周に設けられた二枚以上のフィルム部材を熱融着等により接合している部位であり、図１においてハッチングにて図示している。
【００２０】
接合部１３は、図１の矩形の右縁の下側、接合部１４は、図１における矩形の上縁、接合部１５は矩形の下縁、及び閉封部１６は矩形の左縁に形成している。また、開封部１２は、図１の矩形において接合部１３と接合部１４を繋ぐＲ形状として構成し、シートの縁部よりも内方に形成している。これにより、使用者は収容部材１０において図１の開封部１２よりも外方の接合されていない縁部を取り出し口１７として把持して開封部１２から収容部材１０を引き剥がして医療用長尺体等を取り出すことができる。なお、開封部１２は、ユーザーが収容部材１０を開封する際の持ち手を形成できればＲ形状でなくてもよく、上記以外にも図１の右縁と上縁を直線形状で接続するように形成してもよい。
【００２１】
（管状部材）
管状部材２０は、医療用長尺体の一部であるバルーンカテーテル２００のシャフト部２１０を挿入可能な内腔を形成した中空の部材で構成するとともに、収容部材１０内において巻回した状態で収容される。管状部材２０は、図１に示すように渦巻状に巻き回された渦巻状収容部２１と、直線状に形成された直線状収容部２２と、を備える。
【００２２】
渦巻状収容部２１は、長尺なシャフト部２１０を効率よく収容するために渦巻状に巻き回した状態に形状づけられている。
【００２３】
直線状収容部２２は、放射方向ｒの外方であって、医療用長尺体を取り出す収容部材１０の入口付近である開封部１２に隣接して位置する。直線状収容部２２の端部より先には医療用長尺体であるバルーンカテーテル２００の持ち手にあたるハブ２３０が部分的に露出して配置される。直線状収容部２２が収容部材１０に対して上記のように位置づけられることで、ハブ２３０は、収容部材１０の収容空間１１において開封部１２に隣接して配置される。
【００２４】
渦巻状収容部２１及び直線状収容部２２は、断面を中空の円に構成しているが、一部を切り欠いて構成してもよい。また、本実施形態において渦巻状収容部２１の内径は、基端側から先端側にかけて一様となるように構成している。ただし、医療用長尺体の外径と渦巻状収容部２１の内径に応じてバルーン２２０を配置する部位の渦巻状収容部２１の内径をシャフト部２１０を収容する渦巻状収容部２１の内径より大きく構成してもよい。
【００２５】
管状部材２０の材料は特に限定されないが、例えばポリエチレン、ポリプロピレン、エチレン−プロピレン共重合体、エチレン−酢酸ビニル共重合体等のポリオレフィン、ポリ塩化ビニル、ポリスチレン、ポリアミド、ポリイミド等が使用できる。
【００２６】
（保持部材）
保持部材３０は、管状部材２０に取り付けられ、管状部材２０を巻回した状態に保持する。保持部材３０は、図１に示すように管状部材２０の渦巻状収容部２１の回転方向θにおいて所定間隔で配置し、渦巻状収容部２１が放射方向ｒ等に変形することを抑制又は防止する。保持部材３０は、図５に示すように巻回された管状部材２０において放射方向ｒに並べられた複数の巻回部分２３の各々を挟持する複数の挟持部３１と、隣接する挟持部３１の間に設けられ、挟持部３１へ管状部材２０の挿入を案内する切り欠き部３２と、を備える。
【００２７】
挟持部３１は、組み付け状態で管状部材２０における渦巻状収容部２１の一部にあたる巻回部分２３を挟持する。図１、２において回転方向θに複数配置される保持部材３０は、巻回部分２３の放射方向ｒにおける個数に応じて挟持部３１と切り欠き部３２の個数を異ならせているが、その他の構成は同様である。
【００２８】
保持部材３０は、管状部材２０との組み付け時に管状部材２０の巻回部分２３を保持部材３０と対向させ、切り欠き部３２を通じて管状部材２０を接近移動させた際に力を入れて挟持部３１に押し込むことができる。保持部材３０の材料は、例えばポリエチレン、ポリプロピレン、エチレン−プロピレン共重合体のポリオレフィン、ポリ塩化ビニル、ポリスチレン、ポリアミド、ポリカーボネート、アクリル樹脂等の各種樹脂材料等が使用できる。
【００２９】
（抑制部材）
抑制部材４０は、管状部材２０に取り付けられ、管状部材２０の収容部材１０に対するずれを抑制する。抑制部材４０は、図６に示すように収容部材１０に収容した医療用長尺体の仕様等の製品情報を表示する表示面を備える本体部４１と、保持部材３０を取り付ける係合穴４２（穴部に相当）と、管状部材２０を部分的に被覆する被覆部４３と、を備える。
【００３０】
抑制部材４０は、１枚のシート状の厚紙によって形成している。抑制部材４０は、図６に示すように管状部材２０と隣接する曲線部４４と、取り付け時に管状部材２０の略円形の外形に対する接線のように形成された直線部４５、４６と、直線部４６と曲線部４４とを接続する直線部４７と、によって外形を構成している。曲線部４４は、角度にして略９０°程度の円弧にて構成しているが、抑制部材４０が取り出し時に収容部材１０から取り出しにくくならなければ、角度は上記に限定されない。
【００３１】
本体部４１は、曲線部４４、及び直線部４５〜４７によって囲まれた部位にあたる。本体部４１には、収容部材１０に収容される医療用長尺体の仕様を文字等で表示している。本実施形態では、上記のように医療用長尺体としてバルーンカテーテル２００が管状部材２０に収容され、本体部４１にはバルーンカテーテル２００の仕様としてバルーン２２０に加えられた圧力毎のバルーン２２０の径等が表形式のように表示される。このような表はコンプライアンスシートと呼ばれる。
【００３２】
バルーンカテーテル２００に関する情報としては本体部４１に記載する情報よりも後述する表示部５０への情報を文字、図形、記号、色彩又はこれらの中から任意に組み合わされたものによって強調して表示することができる。それにあたり、本体部４１に記載する情報は、例えば文字の場合、表示部５０よりも文字を小さく表記し、色の場合、表示部５０よりも目立ち難い色にし、線図であれば細い線等にて表記することができる。本体部４１は、組み付け状態において管状部材２０よりも放射方向ｒの外方に配置され、収容部材１０において管状部材２０の巻回の中心Ｃを基準にして、取り出し口１７が設けられた側と反対側に配置される。
【００３３】
本実施形態において収容部材１０の閉封部１６は、製造時において医療用長尺体を収容する前には接合されておらず、開封部１２及び接合部１３〜１５が既に接合された状態となっている（図１の右斜めに図示したハッチング参照）。閉封部１６は、閉封部１６が接合されていない状態において閉封部１６から医療用長尺体、管状部材２０、及び抑制部材４０等を収容した後にヒートシール等により閉封される（図１の左斜めに図示したハッチング参照）。そして、ユーザーが使用する際には取り出し口１７を把持して開封部１２から収容部材１０を開封して抑制部材４０等を取り出す。このように構成することによって、抑制部材４０等を収容する側と取り出す側とを一義的に定めることができる。ただし、製造段階における抑制部材４０等の収容は必ずしも閉封部１６から行わなくてもよい。
【００３４】
係合穴４２は、曲線部４４に隣接して設けている。係合穴４２は、管状部材２０の渦巻形状を保持する保持部材３０の挟持部３１が挿入可能になっている。保持部材３０は、挟持部３１を係合穴４２に挿通させることによって抑制部材４０に取り付けられ、抑制部材４０と共に管状部材２０の抑制部材４０に対する回転方向θや軸方向ｘ等のずれを抑制する。
【００３５】
被覆部４３は、図１に示す収容部材１０の正面視において管状部材２０の巻回された巻回部分２３を一部接触した状態で被覆する。被覆部４３は、曲線部４４よりも放射方向ｒの内方に突出して形成される。被覆部４３は、本実施形態において爪のような形状に形成しているが、管状部材２０との接触面を十分に確保できれば、形状は上記に限定されない。被覆部４３は、図１、２に示すように２箇所設けられ、一方が管状部材２０に対して正面側に配置され、他方が背面側に配置される。被覆部４３は、収容部材１０の正面視において、管状部材２０の巻回された渦巻状収容部２１を一部被覆すると共に管状部材２０と接触する。
【００３６】
これにより管状部材２０は、被覆部４３によって挟持され、保持部材３０と共に抑制部材４０に対する管状部材２０の回転方向θ等へのずれが抑制される。また、上記のように本体部４１が管状部材２０よりも放射方向ｒにおける外方に配置され、保持部材３０と抑制部材４０が係合穴４２で連結されることによって、管状部材２０は回転方向θに回転する場合にも本体部４１の直線部４６が収容部材１０の接合部１５と接触する。そのため、管状部材２０が収容部材１０に対して回転方向θ等に意図せず動く事態を抑制できる。
【００３７】
抑制部材４０の材料は特に限定されないが、例示すればポリエチレン、ポリプロピレン、エチレン−プロピレン共重合体、エチレン−酢酸ビニル共重合体等のポリオレフィン、ポリ塩化ビニル、ポリスチレン、ポリアミド、ポリイミド等を使用できる。
【００３８】
（表示部）
表示部５０は、収容部材１０に収容され、管状部材２０に収容された医療用長尺体の製品情報を少なくとも一つ表示する。表示部５０は、一般的に言うタグにあたるものであり、管状部材２０に収容される医療用長尺体の仕様の中でも使用者に特に知らせたい事項を表示する。本実施形態のように医療用長尺体がバルーンカテーテル２００の場合、表示部５０には最大拡張時のバルーン２２０の径や最大拡張圧等の耐圧に関する情報、バルーンカテーテル２００の長さ、性能、リミッター、又は開封場所等の情報が表示される。表示部５０は、本体部４１に比べて表記が強調できるように本体部４１の表記よりも文字サイズを大きくしたり、色を本体部４１の表記よりも目立つ色にしたり、図形の場合には目立ち易い形状で表記したりするように構成できる。また、製品情報を抑制部材４０と表示部５０に分散し、抑制部材４０に表示する情報を表示部５０よりも小さくする等して表示することで、ごみの減量が期待でき、ユーザビリティ（使いやすさ）も良好にできる。
【００３９】
表示部５０は、図１に示すように管状部材２０の巻回の中心Ｃを基準にして、収容部材１０の取り出し口１７が設けられた側と反対側において抑制部材４０と隣接して配置される。このように構成することによって、抑制部材４０のずれを防止するストッパーとして機能させることができる。また、抑制部材４０と表示部５０を上記のように配置することで、管状部材２０を収容部材１０から取り出す際に表示部５０や抑制部材４０を引っかかりにくくすることができ、収容部材１０からの取り出しを容易にできる。なお、本明細書における表示部５０と抑制部材４０が「隣接している」とは、上記のように表示部５０を抑制部材４０のストッパーとして機能できれば、具体的な角度は図１等の図示に限定されない。
【００４０】
また、表示部５０は、本実施形態において収容部材１０に収容した状態で収容部材１０の正面と同じ方向から正面視した際に略矩形状に構成しているが、医療用長尺体の必要な製品情報を表示できれば、形状はこれに限定されない。また、表示部５０は、対となる矩形状で管状部材２０を挟持した状態で熱融着等により管状部材２０に取り付けている。ただし、管状部材２０に取り付けできれば、取り付け態様は上記に限定されず、矩形状は一対ではなく、図１又は図２のいずれかの側に一片のみ配置して管状部材２０に取り付けるように構成してもよい。表示部５０を管状部材２０に取り付けることで、管状部材２０が収容部材１０から飛び出すことを防止できる。
【００４１】
表示部５０の材料は、プラスチック及び／又は紙であれば特に限定されない。プラスチックとして、具体的には、軟質塩化ビニル、ポリプロピレン、ポリエチレン、エチレン−プロピレン共重合体、エチレン−プロピレン−ジエン共重合体、エチレン−酢酸ビニル共重合体、エチレン−ビニルアルコール共重合体、ポリ−４−メチルペンテン−１、ポリブテン−１、ポリブタジエン、ポリアクリルニトリル、ポリスチレン、アクリロニトリル−ブタジエン−スチレン共重合体、アクリル樹脂、ポリオキシメチル、ポリカーボネート、ポリアミド、ポリイミド、ポリアミドイミド、ポリエステル（例えばポリエチレンテレフタレート、ポリブチレンテレフタレート）、ポリスルホン、ポリエーテルエーテルケトン、ポリエーテルスルホン、ポリアリルエーテルスルホン、ポリフェニレンスルフィド、熱可塑性エラストマー、ポリテトラフルオロエチレン、エチレン−テトラフルオロエチレン共重合体、ポリフッ化ビニリデン、ポリウレタンが挙げられる。紙として、具体的には、上質紙、アート紙、コート紙、キャストコート紙、セルロース繊維紙、それらの板紙が挙げられる。これらプラスチックを主原料とする紙又はプラスチックと組み合わせた紙として、具体的には合成紙、合成樹脂含浸紙、合成ゴムラテックス含浸紙、合成樹脂内添紙、プラスチック保護フィルム被覆紙が挙げられ、中でも、ポリプロピレンを主原料とする合成紙が挙げられる。
【００４２】
（取り付け部材）
取り付け部材６０は、管状部材２０の放射方向ｒの内方において管状部材２０に取り付けられ、医療用長尺体に付属する部品を着脱可能に固定する。本実施形態においてバルーンカテーテル２００の付属品はカテーテルクリップ２５０により構成している。しかし、医療用長尺体の使用に付随して使用されれば、これに限定されず、上記以外にも医療用の針等であってもよい。
【００４３】
取り付け部材６０は、図１に示すように管状部材２０に取り付けられる取り付け部６１と、カテーテルクリップ２５０等の付属品を固定する固定部６２と、取り付け部６１と固定部６２とを接続する接続部６３と、を有する。
【００４４】
取り付け部６１及び固定部６２は、それぞれ断面の外形が保持部材３０と同様に切り欠きを備えた円形に形成され、切り欠きから管状部材２０又はカテーテルクリップ等の付属品を取り付ける。接続部６３は、板状に形成され、取り付け部６１と固定部６２とを接続する。
【００４５】
管状部材２０は、放射方向ｒの中央にまで設けられておらず、放射方向ｒの内方にはスペースがあるため、取り付け部材６０は、管状部材２０に対して放射方向ｒの内方に取り付けられる。
【００４６】
以上説明したように、本実施形態に係る収容具１００は、医療用長尺体を収容可能な収容空間１１と、収容空間１１から医療用長尺体を取り出す取り出し口１７を開封可能に封止する開封部１２と、を備えた収容部材１０と、医療用長尺体の少なくとも一部を挿入可能な内腔が形成されるとともに、収容部材１０の収容空間１１内に巻回した状態で収容される管状部材２０と、管状部材２０に取り付けられて、管状部材２０の収容部材１０に対するずれを抑制する抑制部材４０と、収容部材１０に収容され管状部材２０に収容された医療用長尺体の製品情報の少なくとも一つを表示する表示部５０と、を有する。抑制部材４０及び表示部５０は、管状部材２０の巻回の中心Ｃを基準にして、取り出し口１７が設けられた側と反対側に配置される。
【００４７】
このように構成することによって開封部１２から管状部材２０等を取り出す際に抑制部材４０や表示部５０は管状部材２０よりも手前側に位置しないことになる。そのため、抑制部材４０や表示部５０に阻害されずに管状部材２０等を収容部材１０から取り出すことができ、収容部材１０に収容されたバルーンカテーテル２００等の医療用長尺体を容易に取り出すことができる。
【００４８】
また、抑制部材４０には、表示部５０に表示された製品情報とは異なる医療用長尺体の製品情報の少なくとも一つを、表示部５０よりも目立ち難い文字サイズ等で表示するように構成している。そのため、医療用長尺体の製品情報を主に表示する表示部５０に医療用長尺体の中でも特に重要な情報等を使用者の注意を惹き付けるように表示することができる。
【００４９】
また、抑制部材４０は、収容部材１０の正面視において、管状部材２０の巻回された巻回部分２３を一部接触した状態で被覆する被覆部４３を備えるように構成している。抑制部材４０における被覆部４３は管状部材２０と接触する部分が多くなるほど管状部材２０の回転方向θのずれの抑制が容易になるが、これと引き換えに管状部材２０が抑制部材４０に被覆されて管状部材２０がどのような状態であるかの把握が難しくなる。そのため、上記のように構成することによって、抑制部材４０に対する管状部材２０の回転方向θのずれを抑制しつつ、管状部材２０の視認性も良好にすることができる。
【００５０】
また、収容具１００は、管状部材２０に取り付けられて管状部材２０を巻回した状態に保持する保持部材３０を有する。保持部材３０は、巻回された管状部材２０において放射方向ｒに並べられた巻回部分２３の各々を挟持する複数の挟持部３１と、隣接する挟持部３１の間に設けられ挟持部３１へ管状部材２０の挿入を案内する切り欠き部３２と、を備える。また、抑制部材４０は、保持部材３０の挟持部３１を挿入可能な係合穴４２を備える。このように構成することによって、抑制部材４０と保持部材３０を一体化し、管状部材２０が渦巻状に巻き回された状態を保持しつつ、抑制部材４０に対する管状部材２０の回転方向θ等へのずれを抑制することができる。
【００５１】
また、収容具１００は、管状部材２０の放射方向ｒの内方において管状部材２０に取り付けられ、医療用長尺体に付属するカテーテルクリップ２５０等の物品を着脱可能に固定する取り付け部材６０を有する。そのため、バルーンカテーテル２００に付属するカテーテルクリップ２５０等の付属品をスペース的に効率よく収容でき、収容状態において付属品が医療用長尺体に対して意図せず動いてしまうことを防止できる。
【００５２】
また、医療用長尺体であるバルーンカテーテル２００は、バルーンカテーテル２００を管状部材２０に部分的に収容した状態で管状部材２０から露出して配置され、使用時に把持されるハブ２３０を備える。また、ハブ２３０は、収容部材１０の収容空間１１において開封部１２に隣接して配置される。このように構成することによって、使用時に把持部として使用するハブ２３０を収容部材１０からバルーンカテーテル２００を取り出す際の持ち手部として利用することができる。よって、取り出しのために別の部品や形状を設けなくても医療用長尺体を容易に取り出すことができる。
【００５３】
なお、本実施形態は上述した実施形態にのみ限定されず、特許請求の範囲において種々の変更が可能である。上記では管状部材２０に収容される部品はバルーンカテーテル２００であると説明したが、これに限定されず、上記以外にもバルーンカテーテルとステントとの組み合わせを収容してもよい。また、収容部材１０又は抑制部材４０には管状部材２０等の取り出し方向を矢印等で表記してもよい。また、医療用長尺体の一部であるバルーンカテーテル２００のハブ２３０と抑制部材４０に表記したコンプライアンスシートの近傍には共にバーコード等の表記をしてもよく、これにより抑制部材４０に表記するコンプライアンスシートの情報と収容部材１０に収容する医療用長尺体の同一性を容易に判断することができる。
【符号の説明】
【００５４】
１０  収容部材、
１１  収容空間、
１２  開封部、
１３〜１５  接合部、
１６  閉封部、
１７  取り出し口、
１００  収容具、
２０  管状部材、
２００  バルーンカテーテル（医療用長尺体）、
２１０  シャフト部、
２２０  バルーン、
２３０  ハブ（把持部）、
３０  保持部材、
３１  挟持部、
３２  切り欠き部、
４０  抑制部材、
４１  表示面、
４２  係合穴（穴部）、
４３  被覆部、
５０  表示部、
６０  取り付け部材、
Ｃ  管状部材の巻回の中心、
ｒ  放射方向、
θ  回転方向。
【図１】
2018187113.tif 000003
【図２】
2018187113.tif 000004
【図３】
2018187113.tif 000005
【図４】
2018187113.tif 000006
【図５】
2018187113.tif 000007
【図６】
2018187113.tif 000008